(57)【要約】【課題】緊急性が高いことを示す制御情報が付加されていない情報であっても、緊急性が高い情報の確認を即座に行わせること。【解決手段】緊急情報判定部１１６により通信制御部１１１が復調した情報に含まれる緊急ワードに基づき、緊急情報かどうかを判定し、システム制御部１２３により緊急情報判定部１１６が緊急情報と判定すると、音声出力部１０４から緊急を知らせる着信音を出力させる。これにより、緊急性が高い情報であれば着信音の出力により緊急を知らせることができる。【選択図】図１
2017158058.tif 000002
【特許請求の範囲】
【請求項１】
音声出力部と、
受信した電波を復調する通信制御部と、
前記通信制御部が復調した情報に含まれる緊急ワードに基づき、緊急情報かどうかを判定する緊急情報判定部と、
前記緊急情報判定部が緊急情報と判定すると、前記音声出力部から緊急を知らせる着信音を出力させるシステム制御部とを備える
ことを特徴とする携帯端末装置。
【請求項２】
緊急を意味する複数の単語及び／又は文字列を管理する緊急ワード管理テーブルを備え、
前記緊急情報判定部は、前記通信制御部が復調した情報がメールである場合、前記メールの情報から抽出した単語又は文字列と、前記緊急ワード管理テーブルが管理している単語又は文字列との一致又は類似を確認することで、前記緊急情報であると判定する
ことを特徴とする請求項１に記載の携帯端末装置。
【請求項３】
音声認識部を備え、
前記緊急情報判定部は、前記通信制御部が復調した情報が音声である場合、前記音声認識部の認識データから抽出した単語又は文字列と、前記緊急ワード管理テーブルが管理している単語又は文字列との一致又は類似を確認することで、前記緊急情報であると判定する
ことを特徴とする請求項２に記載の携帯端末装置。
【請求項４】
前記緊急情報の判定を実行する際の複数の条件を有する判定条件テーブルを備え、
前記緊急情報判定部は、選択されたいずれかの前記条件に従い、前記緊急情報かどうかを判定する
ことを特徴とする請求項１〜３のいずれかに記載の携帯端末装置。
【請求項５】
前記条件は、キーワードに発信者情報、時間情報、曜日情報、場所情報のいずれか、又は複数の情報が組み合わされたものであることを特徴とする請求項４に記載の携帯端末装置。
【請求項６】
選択された着信設定を管理する着信設定管理部を備え、
前記システム制御部は、前記着信設定がマナーモード又はサイレントモードである場合、前記音声出力部から緊急を知らせる着信音を出力させることを特徴とする請求項１に記載の携帯端末装置。
【請求項７】
前記システム制御部は、前記着信設定の音量レベルが最大未満である場合、前記音声出力部から緊急を知らせる着信音を最大レベルで出力させることを特徴とする請求項６に記載の携帯端末装置。
【請求項８】
音声出力部により着信音を出力させる工程と、
通信制御部により受信した電波を復調させる工程と、
緊急情報判定部により前記通信制御部が復調した情報に含まれる緊急ワードに基づき、緊急情報かどうかを判定させる工程と、
システム制御部により前記緊急情報判定部が緊急情報と判定すると、前記音声出力部から緊急を知らせる着信音を出力させる工程と、携帯端末装置を制御するコンピューターに実行させる
ことを特徴とする着信通知プログラム。
【請求項９】
前記緊急情報判定部により、前記通信制御部が復調した情報がメールである場合、前記メールの情報から抽出した単語又は文字列と、緊急ワード管理テーブルが管理している単語又は文字列との一致又は類似の確認によって、前記緊急情報の判定を行わせる工程を有する
ことを特徴とする請求項８に記載の着信通知プログラム。
【請求項１０】
前記緊急情報判定部により、前記通信制御部が復調した情報が音声である場合、音声認識部の認識データから抽出した単語又は文字列と、前記緊急ワード管理テーブルが管理している単語又は文字列との一致又は類似の確認によって、前記緊急情報の判定を行わせる工程を有する
ことを特徴とする請求項９に記載の着信通知プログラム。
【発明の詳細な説明】
【技術分野】
【０００１】
本発明は、緊急報知に適した携帯端末装置及び着信通知プログラムに関する。
【背景技術】
【０００２】
従来より、たとえばスマートフォンなどの携帯端末により、たとえば気象庁が配信する緊急地震速報、津波警報などの緊急情報を受信できる。また、携帯端末は、緊急情報を受信すると、緊急情報を知らせる特定の報知音を出力する。
【０００３】
ところで、携帯端末には、たとえばバイブレーションのみの設定であるマナーモードや、着信音及びバイブレーション無しのサイレントモードなどの着信設定の機能が搭載されている。これらの着信設定は、周囲の環境に応じて適宜実施することが好ましい反面、緊急情報を受信しても報知音が出力されないことで、即座に緊急情報の確認ができないこともある。
【０００４】
このような不具合を解消するものとして、特許文献１に示されている監視システムが知られている。すなわち、監視システムの監視センターは、電話の発信情報又はメールに緊急性が高いことを示す制御情報を付加する。携帯電話は、制御情報が付加された電話又はメールによる着信があると、緊急性の高い着信を受けたことを示す音、画像及び振動を、予め設定したマナーモードなどの着信設定に拘束されることなく特定の出力レベルによって報知する。
【先行技術文献】
【特許文献】
【０００５】
【特許文献１】特開２００４−３４３４７５号公報
【発明の概要】
【発明が解決しようとする課題】
【０００６】
上述した特許文献１での監視システムでは、予め設定した着信設定に拘束されることなく所定の出力レベルによって報知するので、即座に緊急事態の確認を行える。
【０００７】
ところで、緊急情報は、特許文献１での監視センターが配信するセキュリティー関連情報や、たとえば気象庁が配信する緊急地震速報、津波警報などの自然災害関連情報に限らず、交通機関が配信する交通関連情報、あるいは勤務先の会社が配信する伝達関連情報、さらには知り合い又は友人からのメッセージ関連情報などがある。
【０００８】
ここで、交通関連情報、伝達関連情報、メッセージ関連情報などの緊急情報には、通常、特許文献１で使用している緊急性が高いことを示す制御情報が付加されていない。このように、制御情報が付加されていない緊急情報の場合、携帯電話側では緊急性が高いかどうかを判断できないため、特定の出力レベルによる報知が行われない。この場合、電話又はメールによる着信に気づかないと、緊急性が高い情報の確認を即座に行うことができない、という問題がある。
【０００９】
本発明は、このような状況に鑑みてなされたものであり、上記問題点を解消することができる携帯端末装置及び着信通知プログラムを提供することを目的とする。
【課題を解決するための手段】
【００１０】
本発明の携帯端末装置は、音声出力部と、受信した電波を復調する通信制御部と、前記通信制御部が復調した情報に含まれる緊急ワードに基づき、緊急情報かどうかを判定する緊急情報判定部と、前記緊急情報判定部が緊急情報と判定すると、前記音声出力部から緊急を知らせる着信音を出力させるシステム制御部とを備えることを特徴とする。
また、緊急を意味する複数の単語及び／又は文字列を管理する緊急ワード管理テーブルを備え、前記緊急情報判定部は、前記通信制御部が復調した情報がメールである場合、前記メールの情報から抽出した単語又は文字列と、前記緊急ワード管理テーブルが管理している単語又は文字列との一致又は類似を確認することで、前記緊急情報であると判定することを特徴とする。
また、音声認識部を備え、前記緊急情報判定部は、前記通信制御部が復調した情報が音声である場合、前記音声認識部の認識データから抽出した単語又は文字列と、前記緊急ワード管理テーブルが管理している単語又は文字列との一致又は類似を確認することで、前記緊急情報であると判定することを特徴とする。
また、前記緊急情報の判定を実行する際の複数の条件を有する判定条件テーブルを備え、前記緊急情報判定部は、選択されたいずれかの前記条件に従い、前記緊急情報かどうかを判定することを特徴とする。
また、前記条件は、キーワードに発信者情報、時間情報、曜日情報、場所情報のいずれか、又は複数の情報が組み合わされたものであることを特徴とする。
また、選択された着信設定を管理する着信設定管理部を備え、前記システム制御部は、前記着信設定がマナーモード又はサイレントモードである場合、前記音声出力部から緊急を知らせる着信音を出力させることを特徴とする。
また、前記システム制御部は、前記着信設定の音量レベルが最大未満である場合、前記音声出力部から緊急を知らせる着信音を最大レベルで出力させることを特徴とする。
本発明の着信通知プログラムは、音声出力部により着信音を出力させる工程と、通信制御部により受信した電波を復調させる工程と、緊急情報判定部により前記通信制御部が復調した情報に含まれる緊急ワードに基づき、緊急情報かどうかを判定させる工程と、システム制御部により前記緊急情報判定部が緊急情報と判定すると、前記音声出力部から緊急を知らせる着信音を出力させる工程と、携帯端末装置を制御するコンピューターに実行させることを特徴とする。
また、前記緊急情報判定部により、前記通信制御部が復調した情報がメールである場合、前記メールの情報から抽出した単語又は文字列と、緊急ワード管理テーブルが管理している単語又は文字列との一致又は類似の確認によって、前記緊急情報の判定を行わせる工程を有することを特徴とする。
また、前記緊急情報判定部により、前記通信制御部が復調した情報が音声である場合、音声認識部の認識データから抽出した単語又は文字列と、前記緊急ワード管理テーブルが管理している単語又は文字列との一致又は類似の確認によって、前記緊急情報の判定を行わせる工程を有することを特徴とする。
本発明の携帯端末装置及び着信通知プログラムでは、緊急情報判定部により通信制御部が復調した情報に含まれる緊急ワードに基づき、緊急情報かどうかを判定し、システム制御部により緊急情報判定部が緊急情報と判定すると、音声出力部から緊急を知らせる着信音を出力させることができる。
【発明の効果】
【００１１】
本発明の携帯端末装置及び着信通知プログラムによれば、システム制御部により緊急情報判定部が緊急情報と判定すると、音声出力部から緊急を知らせる着信音を出力させるので、緊急性が高いことを示す制御情報が付加されていない情報であっても、緊急性が高い情報の確認を即座に行わせることができる。
【図面の簡単な説明】
【００１２】
【図１】本発明の一実施形態に係る携帯端末の構成の一例を示す図である。
【図２】図１の緊急情報判定部が有する判定条件テーブルの一例について説明するための図である。
【図３】図１の携帯端末の着信通知制御について説明するためのフローチャートである。
【発明を実施するための形態】
【００１３】
以下、本発明の携帯端末装置の一実施形態を、図１〜図３を参照しながら説明する。なお、以下においての携帯端末装置は、たとえばスマートフォンなどの携帯端末として説明する。
【００１４】
まず、図１に示すように、携帯端末１００は、アンテナ１０１、操作入力部１０２、音声入力部１０３、音声出力部１０４、振動発生部１０５、表示部１０６、制御部１１０を備えている。
【００１５】
アンテナ１０１は、基地局との間で電波の受信及び送信を行う。操作入力部１０２は、文字などを制御部１１０に入力するデバイスである。また、操作入力部１０２は、表示部１０６に表示される内容を選択したりする。音声入力部１０３は、音声を制御部１１０に入力するデバイスである。音声出力部１０４は、制御部１１０からの音声を出力するデバイスである。振動発生部１０５は、制御部１１０からの駆動信号に応じて振動するデバイスである。表示部１０６は、制御部１１０から表示信号に応じて内容を表示するデバイスである。
【００１６】
制御部１１０は、通信制御部１１１、ＲＡＭ（Ｒａｎｄｏｍ  Ａｃｃｅｓｓ  Ｍｅｍｏｒｙ）１１２、ＲＯＭ（Ｒｅａｄ−Ｏｎｌｙ  Ｍｅｍｏｒｙ）１１３、緊急ワード管理テーブル１１４、音声認識部１１５、緊急情報判定部１１６、操作入力制御部１１７、音声入力制御部１１８、音声出力制御部１１９、振動発生制御部１２０、表示制御部１２１、着信設定管理部１２２、システム制御部１２３を備えている。また、これらは、データバス１２４に接続されている。
【００１７】
通信制御部１１１は、変調機能及び復調機能を有し、アンテナ１０１を介して基地局との間での電波の受信及び送信を制御する。ＲＡＭ１１２は、プログラムを実行するためのワークメモリーである。また、ＲＡＭ１１２は、通信制御部１１１が復調した音声やメールの情報を一旦記憶する。ＲＯＭ１１３には、各部の動作チェックなどを行う制御プログラムが記憶されている。
【００１８】
緊急ワード管理テーブル１１４は、緊急を意味する複数のキーワードを管理する。なお、キーワードは、単語に限らず、文字列であってもよい。音声認識部１１５は、音声着信による音声情報に基づき、音声認識を行い、音声認識の結果を認識データとして出力する。なお、音声認識は、周知の通り、音声波形とサンプルデートとの比較によるパターン認識によって行われる。
【００１９】
緊急情報判定部１１６は、緊急ワード管理テーブル１１４を参照し、音声認識部１１５からの認識データから抽出した単語又は文字列が緊急ワード管理テーブル１１４が管理している単語又は文字列と一致又は類似している場合、緊急情報と判定する。また、緊急情報判定部１１６は、メール着信の場合、メールの情報から単語又は文字列を抽出し、緊急ワード管理テーブル１１４が管理している単語又は文字列のキーワードと一致又は類似している場合、緊急情報と判定する。また、緊急情報判定部１１６は、後述の判定条件テーブル１１６Ａを有し、緊急情報の判定を実行するかしないかを決定する。
【００２０】
操作入力制御部１１７は、操作入力部１０２による入力を受け付ける。音声入力制御部１１８は、音声入力部１０３からの音声を音声情報とする。音声出力制御部１１９は、音声情報を音声信号に変換し、音声出力部１０４を介して出力する。振動発生制御部１２０は、振動発生部１０５の振動制御を行う。表示制御部１２１は、表示部１０６の表示動作を制御する。着信設定管理部１２２は、操作入力部１０２を介して設定されたバイブレーションのみのマナーモード、着信音及びバイブレーション無しのサイレントモード、音量レベル、着信音などの着信設定を管理する。なお、音量レベルは、複数段階であり、たとえば小、中、高の３段階としてもよいし、４段階以上としてもよい。
【００２１】
システム制御部１２３は、各部の連携動作などを制御する。また、システム制御部１２３は、音声着信又はメール着信があると、着信設定管理部１２２が管理している着信設定情報に基づき、音声出力制御部１１９及び／又は振動発生制御部１２０を介し、音声出力部１０４及び／又は振動発生部１０５を駆動させる。また、システム制御部１２３は、音声着信又はメール着信があったとき、緊急情報判定部１１６がメールの情報に基づいて緊急情報と判定した場合、着信設定管理部１２２が管理している着信設定がマナーモード又はサイレントモードであっても、音声出力部１０４及び／又は振動発生部１０５を駆動させる。
【００２２】
すなわち、システム制御部１２３は、緊急情報判定部１１６が緊急情報と判定すると、以下のように動作する。システム制御部１２３は、着信設定がマナーモードである場合、音声出力部１０４を駆動させる。また、システム制御部１２３は、サイレントモードである場合、音声出力制御部１１９を介し、音声出力部１０４を駆動させて着信音を出力させる。なお、着信音は、緊急を知らせる特定の音であってもよいし、予め設定されている音であってもよい。また、着信音の音量レベルは、緊急を知らせるために最大であってもよい。また、システム制御部１２３は、サイレントモードである場合、振動発生部１０５を同時に駆動させてもよい。
【００２３】
また、システム制御部１２３は、マナーモードである場合、音声出力部１０４のみを駆動させてもよいし、振動発生部１０５を同時に駆動させてもよい。また、システム制御部１２３は、音量レベルが最大未満に設定されている場合、音声出力部１０４からの音量レベルを最大としてもよい。たとえば、システム制御部１２３は、音量レベルがたとえば小、中、高の３段階のうち、たとえば中以下に設定されている場合、音声出力部１０４からの音量レベルを高としてもよい。
【００２４】
次に、図２を参照し、緊急情報判定部１１６が有する判定条件テーブル１１６Ａの一例について説明する。まず、緊急情報判定の条件として、条件（１）１１６ａ〜条件（１１）１１６ｋが設けられている。条件（１）１１６ａは、キーワードのみを条件とし、緊急情報の判定を実行する。条件（２）１１６ｂは、キーワード＋特定の人物（発信者情報）とした条件で、緊急情報の判定を実行する。条件（３）１１６ｃは、キーワード＋特定の会社（発信者情報）とした条件で、緊急情報の判定を実行する。
【００２５】
条件（４）１１６ｄは、キーワード＋特定の時間帯（時間情報）とした条件で、緊急情報の判定を実行する。条件（５）１１６ｅは、キーワード＋特定の曜日（曜日情報）とした条件で、緊急情報の判定を実行する。条件（６）１１６ｆは、キーワード＋電車内（場所情報）とした条件で、緊急情報の判定を実行しない。条件（７）１１６ｇは、キーワード＋病院内（場所情報）とした条件で、緊急情報の判定を実行しない。
【００２６】
条件（８）１１６ｈは、条件（２）と条件（４）とを組み合わせた場合であり、この場合も緊急情報の判定を実行する。条件（９）１１６ｉは、条件（２）と条件（５）とを組み合わせた場合であり、この場合も緊急情報の判定を実行する。条件（１０）１１６ｊは、条件（２）と条件（４）と条件（５）とを組み合わせた場合であり、この場合も緊急情報の判定を実行する。条件（１１）１１６ｋは、条件（２）と条件（６）とを組み合わせた場合であり、この場合は緊急情報の判定を実行しない条件（６）が含まれているため、緊急情報の判定を実行しない。
【００２７】
なお、緊急情報判定の条件（１）〜（１１）は、あくまでも一例であり、条件（１）〜（１１）をさらに組み合わせてもよい。また、条件（１）１１６ａ〜条件（１１）１１６ｋでは、キーワードに文字列を加えてもよい。また、条件（２）の特定の人物や、条件（３）の特定の会社は、既に登録済みの電話番号やメールアドレスを確認して特定すればよい。また、条件（４）の特定の時間帯は時計機能によって特定すればよい。また、条件（５）の特定の曜日はカレンダー機能によって特定すればよい。また、条件（６）の電車内は電車内の制御信号などによって特定すればよい。また、条件（７）の病院内は病院内の制御信号などによって特定すればよい。そして、緊急情報判定の条件（１）〜（１１）は、操作入力部１０２の操作により、選択される。
【００２８】
次に、図３を参照し、携帯端末１００の着信通知制御について説明する。なお、以下では、携帯端末１００がサイレントモードに設定されている場合で説明する。また、以下では、緊急情報判定の条件（２）が選択されている場合で説明する。
【００２９】
（ステップＳ１０１）
まず、システム制御部１２３は、着信有りかどうかを判断する。この場合、システム制御部１２３は、通信制御部１１１からの着信有りの通知を受け取るまで待ち（ステップＳ１０１：Ｎｏ）、通信制御部１１１からの着信有りの通知を受け取ると、着信有りと判断する（ステップＳ１０１：Ｙｅｓ）。
【００３０】
（ステップＳ１０２）
システム制御部１２３は、音声着信かどうかを判断する。この場合、システム制御部１２３は、通信制御部１１１からの通知が音声である場合、音声着信であると判断し（ステップＳ１０２：Ｙｅｓ）、ステップＳ１０３に移行する。
これに対し、システム制御部１２３は、通信制御部１１１からの通知がメールである場合、メール着信であると判断し（ステップＳ１０２：Ｎｏ）、ステップＳ１０９に移行する。
【００３１】
（ステップＳ１０３）
システム制御部１２３は、特定の人物かどうかを判断する。この場合、システム制御部１２３は、発信者番号が既に登録済みの電話番号と一致するかどうかを確認し、一致しなければ特定の人物でないと判断し（ステップＳ１０３：Ｎｏ）、処理を終了する。
これに対し、システム制御部１２３は、発信者番号が既に登録済みの電話番号と一致する場合、特定の人物であると判断し（ステップＳ１０３：Ｙｅｓ）、ステップＳ１０４に移行する。
【００３２】
（ステップＳ１０４）
システム制御部１２３は、自動応答を実行する。この場合、システム制御部１２３は、ＲＡＭ１１２などに記憶されている応答メッセージを通信制御部１１１を介して送信する。なお、応答メッセージは、たとえば「ただいま呼び出しの準備をしますので、用件を先にお話ください」、といったような内容であってもよい。いずれにしても、相手に用件を伝えてもらえるような内容、つまり、相手に用件を話すのを促す内容であればよい。また、携帯端末１００の留守番機能が設定されている場合、留守番機能の応答メッセージを送信してもよい。
【００３３】
（ステップＳ１０５）
システム制御部１２３は、相手からの用件を受け取ると、音声認識部１１５に対し、音声認識を指示する。
この場合、音声認識部１１５は、音声着信による音声情報に基づき、音声認識を行い、音声認識の結果を認識データとして出力する。
なお、システム制御部１２３は、特定の時間（たとえば２０秒）内に相手からの用件を受け取ることができなければ、処理を終了してもよい。
【００３４】
（ステップＳ１０６）
システム制御部１２３は、緊急情報判定部１１６に対し、緊急情報判定を指示する。
この場合、緊急情報判定部１１６は、判定条件テーブル１１６Ａで緊急情報判定の条件（２）が選択されていることを確認すると、緊急ワード管理テーブル１１４を参照し、音声認識部１１５からの認識データから抽出した単語又は文字列が緊急ワード管理テーブル１１４が管理している単語又は文字列と一致又は類似しているかどうかを確認し、緊急情報かどうかを判定する。
【００３５】
（ステップＳ１０７）
システム制御部１２３は、緊急情報かどうかを判断する。
この場合、システム制御部１２３は、緊急情報判定部１１６が緊急情報と判定しない場合、緊急情報でないと判断し（ステップＳ１０７：Ｎｏ）、処理を終了する。なお、相手との通信が継続しているとき、相手に電話に出られないことを知らせる応答メッセージを送信してもよい。
これに対し、システム制御部１２３は、緊急情報判定部１１６が緊急情報と判定した場合、緊急情報であると判断し（ステップＳ１０７：Ｙｅｓ）、ステップＳ１０８に移行する。
【００３６】
（ステップＳ１０８）
システム制御部１２３は、着信音を出力させる。この場合、システム制御部１２３は、着信設定管理部１２２が管理している着信設定がサイレントモードであると確認すると、音声出力制御部１１９を介し、音声出力部１０４を駆動させて着信音を出力させる。なお、着信音は、緊急を知らせる特定の音であってもよいし、予め設定されている音であってもよい。また、着信音の音量レベルは、緊急を知らせるために最大であることが好ましい。
また、システム制御部１２３は、サイレントモードである場合、振動発生部１０５を同時に駆動させてもよい。
【００３７】
（ステップＳ１０９）
システム制御部１２３は、メール着信である場合、緊急情報判定部１１６に対し緊急情報判定を指示する。
この場合、緊急情報判定部１１６は、判定条件テーブル１１６Ａで緊急情報判定の条件（２）が選択されていることを確認すると、メールの情報から単語又は文字列を抽出し、緊急ワード管理テーブル１１４が管理している単語又は文字列のキーワードと一致又は類似しているかどうかを確認し、緊急情報であるかどうかを判定する。
【００３８】
（ステップＳ１１０）
システム制御部１２３は、緊急情報かどうかを判断する。この場合、システム制御部１２３は、緊急情報判定部１１６が緊急情報であると判定すると、緊急情報であると判断し（ステップＳ１１０：Ｙｅｓ）、ステップＳ１０８に移行する。
これに対し、システム制御部１２３は、緊急情報判定部１１６が緊急情報でないと判定すると、緊急情報でないと判断し（ステップＳ１１０：Ｎｏ）、処理を終了する。
【００３９】
このように、本実施形態では、緊急情報判定部１１６により通信制御部１１１が復調した情報に含まれる緊急ワードに基づき、緊急情報かどうかを判定し、システム制御部１２３により緊急情報判定部１１６が緊急情報と判定すると、音声出力部１０４から緊急を知らせる着信音を出力させる。これにより、受信した情報に緊急性が高いことを示す制御情報が付加されていない場合であっても、緊急性が高い情報であれば緊急を知らせる着信音の出力により、緊急性が高い情報の確認を即座に行わせることができる。
【００４０】
なお、本実施形態では、携帯端末装置として、たとえばスマートフォンなどの携帯端末１００に適用した場合で説明したが、電話又はメールの着信が可能なタブレットやＰＣ（Ｐｐｅｒｓｏｎａｌ  Ｃｏｍｐｕｔｅｒ）などの他の端末に適用してもよい。
【符号の説明】
【００４１】
１００  携帯端末
１０１  アンテナ
１０２  操作入力部
１０３  音声入力部
１０４  音声出力部
１０５  振動発生部
１０６  表示部
１１０  制御部
１１１  通信制御部
１１２  ＲＡＭ
１１３  ＲＯＭ
１１４  緊急ワード管理テーブル
１１５  音声認識部
１１６  緊急情報判定部
１１６Ａ  判定条件テーブル
１１６ａ〜１１６ｋ  条件（１）〜（１１）
１１７  操作入力制御部
１１８  音声入力制御部
１１９  音声出力制御部
１２０  振動発生制御部
１２１  表示制御部
１２２  着信設定管理部
１２３  システム制御部
１２４  データバス
【図１】
2017158058.tif 000003
【図２】
2017158058.tif 000004
【図３】
2017158058.tif 000005